【手続補正書】
【提出日】平成21年9月4日(2009.9.4)
【手続補正１】
【補正対象書類名】特許請求の範囲
【補正対象項目名】全文
【補正方法】変更
【補正の内容】
【特許請求の範囲】
【請求項１】
撮影レンズを介して被写体の光学像を撮像素子の受光面上に結像させる撮像装置において、
前記撮像素子から得られる画像信号に基づいて前記被写体の顔を抽出し、抽出した顔の特定部位の大きさに基づいて前記撮影レンズの合焦位置を検出する第１の合焦位置検出手段と、
前記撮像素子から得られる画像信号に基づいて前記被写体の焦点評価値を算出し、算出した焦点評価値に基づいて前記撮影レンズの合焦位置を検出する第２の合焦位置検出手段と、
半押しと全押しとからなる二段ストローク式のレリーズボタンと、
前記レリーズボタンが、半押しされたか、一気に全押しされたかを判定する手段と、
前記レリーズボタンが半押しされると、前記第２の合焦位置検出手段を前記撮影レンズの合焦位置検出手段に設定し、前記レリーズボタンが一気に全押しされると、前記第１の合焦位置検出手段を前記撮影レンズの合焦位置検出手段に設定する設定手段と、
前記設定手段によって、前記第１の合焦位置検出手段が前記撮影レンズの合焦位置検出手段に設定された場合において、前記撮像素子から得られる画像信号に基づいて前記被写体の顔が抽出できない場合に、所定の位置を合焦位置に設定する手段と、
前記設定手段によって、前記第２の合焦位置検出手段が前記撮影レンズの合焦位置検出手段に設定された場合において、前記第２の合焦位置検出手段によって前記撮影レンズの合焦位置を検出できない場合に、前記第１の合焦位置検出手段を前記撮影レンズの合焦位置検出手段に設定する手段と、
を備えたことを特徴とする撮像装置。
【請求項２】
撮影レンズを介して被写体の光学像を撮像素子の受光面上に結像させる撮像装置において、
前記撮像素子から得られる画像信号に基づいて前記被写体の顔を抽出し、抽出した顔の特定部位の大きさに基づいて前記撮影レンズの合焦位置を検出する第１の合焦位置検出手段と、
前記撮像素子から得られる画像信号に基づいて前記被写体の焦点評価値を算出し、算出した焦点評価値に基づいて前記撮影レンズの合焦位置を検出する第２の合焦位置検出手段と、
半押しと全押しとからなる二段ストローク式のレリーズボタンと、
前記レリーズボタンが、半押しされたか、一気に全押しされたかを判定する手段と、
前記レリーズボタンが半押しされると、前記第２の合焦位置検出手段を前記撮影レンズの合焦位置検出手段に設定し、前記レリーズボタンが一気に全押しされると、前記第１の合焦位置検出手段を前記撮影レンズの合焦位置検出手段に設定する設定手段と、
前記設定手段によって、前記第１の合焦位置検出手段が前記撮影レンズの合焦位置検出手段に設定された場合において、前記撮像素子から得られる画像信号に基づいて前記被写体の顔が抽出できない場合に、前記第２の合焦位置検出手段を前記撮影レンズの合焦位置検出手段に設定する手段と、
を備えたことを特徴とする撮像装置。
【請求項３】
撮影レンズを介して被写体の光学像を撮像素子の受光面上に結像させる撮像装置において、
前記撮像素子から得られる画像信号に基づいて前記被写体の顔を抽出し、抽出した顔の特定部位の大きさに基づいて前記撮影レンズの合焦位置を検出する第１の合焦位置検出手段と、
前記撮像素子から得られる画像信号に基づいて前記被写体の焦点評価値を算出し、算出した焦点評価値に基づいて前記撮影レンズの合焦位置を検出する第２の合焦位置検出手段と、
撮影条件を検出する撮影条件検出手段と、
前記撮影条件設定手段の設定結果に応じて前記第１の合焦位置検出手段と前記第２の合焦位置検出手段のいずれか一方を前記撮影レンズの合焦位置検出手段に設定する設定手段と、
を備えたことを特徴とする撮像装置。
【請求項４】
前記撮影条件は、前記撮影レンズの焦点距離であって、
前記設定手段は、前記撮影レンズの焦点距離が、あらかじめ設定された規定焦点距離未満の場合、前記第１の合焦位置検出手段を前記撮影レンズの合焦位置検出手段に設定し、前記撮影レンズの焦点距離が、前記規定焦点距離以上の場合、前記第２の合焦位置検出手段を前記撮影レンズの合焦位置検出手段に設定することを特徴とする請求項３に記載の撮像装置。
【請求項５】
前記撮影条件は、記録画質であって、
前記設定手段は、前記記録画質が、あらかじめ設定された規定画質未満の場合、前記第１の合焦位置検出手段を前記撮影レンズの合焦位置検出手段に設定し、前記記録画質が、前記規定画質以上の場合、前記第２の合焦位置検出手段を前記撮影レンズの合焦位置検出手段に設定することを特徴とする請求項３に記載の撮像装置。
【請求項６】
前記撮影条件は、動画又は静止画の記録モードであって、
前記設定手段は、前記記録モードが動画記録モードの場合、前記第１の合焦位置検出手段を前記撮影レンズの合焦位置検出手段に設定し、前記記録モードが静止画記録モードの場合、前記第２の合焦位置検出手段を前記撮影レンズの合焦位置検出手段に設定することを特徴とする請求項３に記載の撮像装置。
【請求項７】
前記設定手段は、前記第２の合焦位置検出手段によって前記撮影レンズの合焦位置を検出できない場合、前記第１の合焦位置検出手段を前記撮影レンズの合焦位置検出手段に切り替えて設定することを特徴とする請求項３〜６のいずれか一項に記載の撮像装置。
【請求項８】
前記設定手段は、前記第１の合焦位置検出手段によって前記撮影レンズの合焦位置を検出できない場合、前記第２の合焦位置検出手段を前記撮影レンズの合焦位置検出手段に切り替えて設定することを特徴とする請求項３〜６のいずれか一項に記載の撮像装置。
【請求項９】
前記第１の合焦位置検出手段は、事前に前記撮像素子から得られるスルー表示用の画像信号に基づいて前記被写体の顔を抽出し、抽出した顔の特定部位の大きさに基づいて前記撮影レンズの合焦位置を検出することを特徴とする請求項１〜８のいずれか一項に記載の撮像装置。
【手続補正２】
【補正対象書類名】明細書
【補正対象項目名】００１２
【補正方法】変更
【補正の内容】
【００１２】
請求項１に係る発明は、前記目的を達成するために、撮影レンズを介して被写体の光学像を撮像素子の受光面上に結像させる撮像装置において、前記撮像素子から得られる画像信号に基づいて前記被写体の顔を抽出し、抽出した顔の特定部位の大きさに基づいて前記撮影レンズの合焦位置を検出する第１の合焦位置検出手段と、前記撮像素子から得られる画像信号に基づいて前記被写体の焦点評価値を算出し、算出した焦点評価値に基づいて前記撮影レンズの合焦位置を検出する第２の合焦位置検出手段と、半押しと全押しとからなる二段ストローク式のレリーズボタンと、前記レリーズボタンが、半押しされたか、一気に全押しされたかを判定する手段と、前記レリーズボタンが半押しされると、前記第２の合焦位置検出手段を前記撮影レンズの合焦位置検出手段に設定し、前記レリーズボタンが一気に全押しされると、前記第１の合焦位置検出手段を前記撮影レンズの合焦位置検出手段に設定する設定手段と、前記設定手段によって、前記第１の合焦位置検出手段が前記撮影レンズの合焦位置検出手段に設定された場合において、前記撮像素子から得られる画像信号に基づいて前記被写体の顔が抽出できない場合に、所定の位置を合焦位置に設定する手段と、前記設定手段によって、前記第２の合焦位置検出手段が前記撮影レンズの合焦位置検出手段に設定された場合において、前記第２の合焦位置検出手段によって前記撮影レンズの合焦位置を検出できない場合に、前記第１の合焦位置検出手段を前記撮影レンズの合焦位置検出手段に設定する手段と、を備えたことを特徴とする撮像装置を提供する。
本発明によれば、撮像素子から得られる画像信号に基づいて被写体の顔を抽出し、抽出した顔の特定部位の大きさ（面積、長さ、幅等）に基づいて撮影レンズの合焦位置を検出する第１の合焦位置検出手段と、撮像素子から得られる画像信号に基づいて被写体の焦点評価値を算出し、算出した焦点評価値に基づいて撮影レンズの合焦位置を検出する第２の合焦位置検出手段とが備えられており、設定手段で設定した方の合焦位置検出手段を用いて撮影レンズの合焦位置検出を行う。第１の合焦位置検出手段は速写性に優れ、第２の合焦位置検出手段は合焦精度に優れるので、適宜使い分けることにより、状況に応じた焦点合わせを行うことが可能になる。また、本発明によれば、半押しと全押しとからなる二段ストローク式のレリーズボタンが備えられており、設定手段は、レリーズボタンが半押しされると、第２の合焦位置検出手段を撮影レンズの合焦位置検出手段に設定する。また、レリーズボタンが一気に全押しされると、第１の合焦位置検出手段を撮影レンズの合焦位置検出手段に設定する。これにより、撮影者の撮影意図を的確に反映して撮影レンズの焦点合わせを行うことができる。すなわち、レリーズボタンが半押しされた場合は、合焦精度に優れる第２の合焦位置検出手段で合焦位置検出が行われ、レリーズボタンが一気に全押しされた場合は、速写性に優れる第１の合焦位置検出手段によって合焦位置検出が行われるので、レリーズボタンの半押し／全押しを使い分けることにより、撮影者の撮影意図を的確に反映して撮影レンズの焦点合わせを行うことができる。
請求項２に係る発明は、前記目的を達成するために、撮影レンズを介して被写体の光学像を撮像素子の受光面上に結像させる撮像装置において、前記撮像素子から得られる画像信号に基づいて前記被写体の顔を抽出し、抽出した顔の特定部位の大きさに基づいて前記撮影レンズの合焦位置を検出する第１の合焦位置検出手段と、前記撮像素子から得られる画像信号に基づいて前記被写体の焦点評価値を算出し、算出した焦点評価値に基づいて前記撮影レンズの合焦位置を検出する第２の合焦位置検出手段と、半押しと全押しとからなる二段ストローク式のレリーズボタンと、記レリーズボタンが、半押しされたか、一気に全押しされたかを判定する手段と、前記レリーズボタンが半押しされると、前記第２の合焦位置検出手段を前記撮影レンズの合焦位置検出手段に設定し、前記レリーズボタンが一気に全押しされると、前記第１の合焦位置検出手段を前記撮影レンズの合焦位置検出手段に設定する設定手段と、前記設定手段によって、前記第１の合焦位置検出手段が前記撮影レンズの合焦位置検出手段に設定された場合において、前記撮像素子から得られる画像信号に基づいて前記被写体の顔が抽出できない場合に、前記第２の合焦位置検出手段を前記撮影レンズの合焦位置検出手段に設定する手段と、を備えたことを特徴とする撮像装置を提供する。
本発明によれば、撮像素子から得られる画像信号に基づいて被写体の顔を抽出し、抽出した顔の特定部位の大きさ（面積、長さ、幅等）に基づいて撮影レンズの合焦位置を検出する第１の合焦位置検出手段と、撮像素子から得られる画像信号に基づいて被写体の焦点評価値を算出し、算出した焦点評価値に基づいて撮影レンズの合焦位置を検出する第２の合焦位置検出手段とが備えられており、設定手段で設定した方の合焦位置検出手段を用いて撮影レンズの合焦位置検出を行う。第１の合焦位置検出手段は速写性に優れ、第２の合焦位置検出手段は合焦精度に優れるので、適宜使い分けることにより、状況に応じた焦点合わせを行うことが可能になる。また、本発明によれば、半押しと全押しとからなる二段ストローク式のレリーズボタンが備えられており、設定手段は、レリーズボタンが半押しされると、第２の合焦位置検出手段を撮影レンズの合焦位置検出手段に設定する。また、レリーズボタンが一気に全押しされると、第１の合焦位置検出手段を撮影レンズの合焦位置検出手段に設定する。これにより、撮影者の撮影意図を的確に反映して撮影レンズの焦点合わせを行うことができる。すなわち、レリーズボタンが半押しされた場合は、合焦精度に優れる第２の合焦位置検出手段で合焦位置検出が行われ、レリーズボタンが一気に全押しされた場合は、速写性に優れる第１の合焦位置検出手段によって合焦位置検出が行われるので、レリーズボタンの半押し／全押しを使い分けることにより、撮影者の撮影意図を的確に反映して撮影レンズの焦点合わせを行うことができる。
請求項３に係る発明は、前記目的を達成するために、撮影レンズを介して被写体の光学像を撮像素子の受光面上に結像させる撮像装置において、前記撮像素子から得られる画像信号に基づいて前記被写体の顔を抽出し、抽出した顔の特定部位の大きさに基づいて前記撮影レンズの合焦位置を検出する第１の合焦位置検出手段と、前記撮像素子から得られる画像信号に基づいて前記被写体の焦点評価値を算出し、算出した焦点評価値に基づいて前記撮影レンズの合焦位置を検出する第２の合焦位置検出手段と、撮影条件を検出する撮影条件検出手段と、前記撮影条件設定手段の設定結果に応じて前記第１の合焦位置検出手段と前記第２の合焦位置検出手段のいずれか一方を前記撮影レンズの合焦位置検出手段に設定する設定手段と、を備えたことを特徴とする撮像装置を提供する。
本発明によれば、撮影条件を検出する撮影条件検出手段が備えられており、設定手段は、撮影条件設定手段の設定結果に応じて第１の合焦位置検出手段と第２の合焦位置検出手段のいずれか一方を撮影レンズの合焦位置検出手段に設定する。これにより、撮影状況に応じて適切な焦点合わせを自動で行うことができる。
請求項４に係る発明は、前記目的を達成するために、前記撮影条件は、前記撮影レンズの焦点距離であって、前記設定手段は、前記撮影レンズの焦点距離が、あらかじめ設定された規定焦点距離未満の場合、前記第１の合焦位置検出手段を前記撮影レンズの合焦位置検出手段に設定し、前記撮影レンズの焦点距離が、前記規定焦点距離以上の場合、前記第２の合焦位置検出手段を前記撮影レンズの合焦位置検出手段に設定することを特徴とする請求項３に記載の撮像装置を提供する。
本発明によれば、撮影条件は、撮影レンズの焦点距離で規定され、設定手段は、撮影レンズの焦点距離が、あらかじめ設定された規定焦点距離未満の場合、第１の合焦位置検出手段を撮影レンズの合焦位置検出手段に設定し、撮影レンズの焦点距離が、規定焦点距離以上の場合、第２の合焦位置検出手段を撮影レンズの合焦位置検出手段に設定する。すなわち、広角域では被写界深度が広くなることから、合焦精度よりも速写性を優先し、望遠域では被写界深度が狭くなることから、速写性よりも合焦精度を優先して焦点合わせを行う。これにより、撮影状況に応じて適切な焦点合わせを自動で行うことができる。
請求項５に係る発明は、前記目的を達成するために、前記撮影条件は、記録画質であって、前記設定手段は、前記記録画質が、あらかじめ設定された規定画質未満の場合、前記第１の合焦位置検出手段を前記撮影レンズの合焦位置検出手段に設定し、前記記録画質が、前記規定画質以上の場合、前記第２の合焦位置検出手段を前記撮影レンズの合焦位置検出手段に設定することを特徴とする請求項３に記載の撮像装置を提供する。
本発明によれば、撮影条件は、記録画質で規定され、設定手段は、記録画質が、あらかじめ設定された規定画質未満の場合、第１の合焦位置検出手段を撮影レンズの合焦位置検出手段に設定し、記録画質が、規定画質以上の場合、第２の合焦位置検出手段を撮影レンズの合焦位置検出手段に設定する。すなわち、低画質時は、合焦精度よりも速写性を優先し、高画質時は、速写性よりも合焦精度を優先して焦点合わせを行う。これにより、撮影状況に応じて適切な焦点合わせを自動で行うことができる。
請求項６に係る発明は、前記目的を達成するために、前記撮影条件は、動画又は静止画の記録モードであって、前記設定手段は、前記記録モードが動画記録モードの場合、前記第１の合焦位置検出手段を前記撮影レンズの合焦位置検出手段に設定し、前記記録モードが静止画記録モードの場合、前記第２の合焦位置検出手段を前記撮影レンズの合焦位置検出手段に設定することを特徴とする請求項３に記載の撮像装置を提供する。
本発明によれば、撮影条件は、動画又は静止画の記録モードで規定され、設定手段は、記録モードが動画記録モードの場合、第１の合焦位置検出手段を撮影レンズの合焦位置検出手段に設定し、記録モードが静止画記録モードの場合、第２の合焦位置検出手段を撮影レンズの合焦位置検出手段に設定する。すなわち、動画撮影時は、合焦精度よりも速写性を優先し、静止画撮影時は、速写性よりも合焦精度を優先して焦点合わせを行う。これにより、撮影状況に応じて適切な焦点合わせを自動で行うことができる。
請求項７に係る発明は、前記目的を達成するために、前記設定手段は、前記第２の合焦位置検出手段によって前記撮影レンズの合焦位置を検出できない場合、前記第１の合焦位置検出手段を前記撮影レンズの合焦位置検出手段に切り替えて設定することを特徴とする請求項３〜６のいずれか一項に記載の撮像装置を提供する。
本発明によれば、第２の合焦位置検出手段によって撮影レンズの合焦位置を検出できない場合、第１の合焦位置検出手段に切り替えて再度撮影レンズの合焦位置を検出する。すなわち、焦点評価値に基づく合焦位置検出は、コントラストが低い被写体を苦手とすることから、このような被写体であっても確実に撮影できるようにするため、第２の合焦位置検出手段によって撮影レンズの合焦位置を検出できない場合は、第１の合焦位置検出手段に切り替えて再度撮影レンズの合焦位置を検出する。これにより、ＡＦ不能になるのを防止して、迅速に焦点合わせを行うことができるようになる。
請求項８に係る発明は、前記目的を達成するために、前記設定手段は、前記第１の合焦位置検出手段によって前記撮影レンズの合焦位置を検出できない場合、前記第２の合焦位置検出手段を前記撮影レンズの合焦位置検出手段に切り替えて設定することを特徴とする請求項３〜６のいずれか一項に記載の撮像装置を提供する。
本発明によれば、第１の合焦位置検出手段によって撮影レンズの合焦位置を検出できない場合、第２の合焦位置検出手段に切り替えて再度撮影レンズの合焦位置を検出する。すなわち、第１の合焦検出手段は、被写体の特定部位が検出できないと、焦点合わせができないので、このような場合であっても確実に撮影できるようにするため、第１の合焦位置検出手段によって撮影レンズの合焦位置を検出できない場合は、第２の合焦位置検出手段に切り替えて再度撮影レンズの合焦位置検出を行う。これにより、ＡＦ不能になるのを防止して、迅速に焦点合わせを行うことができるようになる。
請求項９に係る発明は、前記目的を達成するために、前記第１の合焦位置検出手段は、事前に前記撮像素子から得られるスルー表示用の画像信号に基づいて前記被写体の顔を抽出し、抽出した顔の特定部位の大きさに基づいて前記撮影レンズの合焦位置を検出することを特徴とする請求項１〜８のいずれか一項に記載の撮像装置を提供する。
【手続補正３】
【補正対象書類名】明細書
【補正対象項目名】００１３
【補正方法】削除
【補正の内容】
【手続補正４】
【補正対象書類名】明細書
【補正対象項目名】００１４
【補正方法】削除
【補正の内容】
【手続補正５】
【補正対象書類名】明細書
【補正対象項目名】００１５
【補正方法】削除
【補正の内容】
【手続補正６】
【補正対象書類名】明細書
【補正対象項目名】００１６
【補正方法】削除
【補正の内容】
【手続補正７】
【補正対象書類名】明細書
【補正対象項目名】００１７
【補正方法】削除
【補正の内容】
【手続補正８】
【補正対象書類名】明細書
【補正対象項目名】００１８
【補正方法】削除
【補正の内容】
【手続補正９】
【補正対象書類名】明細書
【補正対象項目名】００１９
【補正方法】削除
【補正の内容】
【手続補正１０】
【補正対象書類名】明細書
【補正対象項目名】００２０
【補正方法】削除
【補正の内容】
【手続補正１１】
【補正対象書類名】明細書
【補正対象項目名】００２１
【補正方法】削除
【補正の内容】
【手続補正１２】
【補正対象書類名】明細書
【補正対象項目名】００２２
【補正方法】削除
【補正の内容】
【手続補正１３】
【補正対象書類名】明細書
【補正対象項目名】００２３
【補正方法】削除
【補正の内容】
【手続補正１４】
【補正対象書類名】明細書
【補正対象項目名】００２４
【補正方法】削除
【補正の内容】
【手続補正１５】
【補正対象書類名】明細書
【補正対象項目名】００２５
【補正方法】削除
【補正の内容】
【手続補正１６】
【補正対象書類名】明細書
【補正対象項目名】００２６
【補正方法】削除
【補正の内容】
【手続補正１７】
【補正対象書類名】明細書
【補正対象項目名】００２７
【補正方法】削除
【補正の内容】
【手続補正１８】
【補正対象書類名】明細書
【補正対象項目名】００２８
【補正方法】削除
【補正の内容】
【手続補正１９】
【補正対象書類名】明細書
【補正対象項目名】００２９
【補正方法】削除
【補正の内容】
【手続補正２０】
【補正対象書類名】明細書
【補正対象項目名】００３０
【補正方法】削除
【補正の内容】
【手続補正２１】
【補正対象書類名】明細書
【補正対象項目名】００３１
【補正方法】削除
【補正の内容】